(57)【要約】  本開示によるパニアは、折り畳み構成と展開構成との間を移行可能であってよい。折り畳み構成と展開構成との間の移行は、内側硬質壁に隣接するその位置から外側硬質壁のラッチを外すことを含んでよく、その結果、パニアは展開構成に自動的に開く。【選択図】図４
2021529131.tif 000002
【特許請求の範囲】
【請求項１】
装輪車であって、
フレームと、
前記フレームに結合されたパニアであって、前記パニアは、
前端、後端、内縁、および外縁を有する細長い折り畳み式床と、
前記床の前端に結合された折り畳み式前壁と、
前記床の後端に結合された折り畳み式後壁と、
前記フレームに固定され、前記床の内縁に結合された硬質内側壁部と、
前記床の外縁に結合された硬質外側壁部と、
を備える、パニアと、
を備える、装輪車であり、
前記パニアは、前記外側壁部が前記内側壁部から離隔しており、その結果、前記パニアが内部収納空間を画定する、第１の構成と、前記外側壁部が前記内側壁部に隣接する位置に固定され、その結果、前記前壁、前記後壁、および前記床が、折り畳まれ、前記内側壁部および前記外側壁部によって包み込まれる、第２の構成との間を移行可能であり、
前記パニアは、前記外側壁部を前記内側壁部に隣接する位置から解放することに応じて、前記第２の構成から前記第１の構成に自動的に移行するように構成される、装輪車。
【請求項２】
前記パニアの床の下に前記フレームから横方向に伸びる支持台をさらに備える、請求項１に記載の装輪車。
【請求項３】
前記前壁、前記後壁、および前記床は、前記パニアが前記第１の構成にある時には各々実質的に平面状である、請求項１に記載の装輪車。
【請求項４】
装輪車であって、
フレームと、
前記フレームに結合されたパニアであって、前記パニアは、
前端、後端、内縁、および外縁を有する細長い折り畳み式床と、
前記床の前端に結合された折り畳み式前壁と、
前記床の後端に結合された折り畳み式後壁と、
前記フレームに固定され、前記床の内縁に結合された硬質内側壁部と、
前記床の外縁に結合された硬質外側壁部と、
を備える、パニアと、
を備える、装輪車であり、
前記パニアは、前記外側壁部が前記内側壁部から離隔しており、その結果、前記パニアが内部収納空間を画定する、第１の構成と、前記外側壁部が前記内側壁部に隣接する位置に固定され、その結果、前記前壁、前記後壁、および前記床が、折り畳まれ、前記内側壁部および前記外側壁部によって包み込まれる、第２の構成との間を移行可能であり、
前記折り畳み式前壁は、可撓性シームによって離隔された複数の硬質板を備え、その結果、前記前壁は、前記可撓性シームで折り畳み可能である、装輪車。
【請求項５】
前記硬質板は、一対の直角台形板から垂直に離隔している一対の三角板を備え、前記２対の板の各々は、垂直可撓性シームを挟んで鏡像である、請求項４に記載の装輪車。
【請求項６】
前記前壁は、前記パニアが前記第２の構成にある時には中割り折りを形成する、請求項４に記載の装輪車。
【請求項７】
前記外側壁部を前記内側壁部に隣接して固定するように構成された１つ以上のラッチをさらに備える、請求項１に記載の装輪車。
【請求項８】
装輪車であって、
フレームと、
前記フレームに結合されたパニアであって、前記パニアは、
前端、後端、内縁、および外縁を有する細長い折り畳み式床と、
前記床の前端に結合された折り畳み式前壁と、
前記床の後端に結合された折り畳み式後壁と、
前記フレームに固着され、前記床の内縁に結合された硬質内側壁部と、
前記床の外縁に結合された硬質外側壁部と、
前記外側壁部を前記内側壁部に隣接して固定するように構成された１つ以上のラッチと、
を備える、パニアと、
を備える、装輪車であり、
前記パニアは、前記外側壁部が前記内側壁部から離隔しており、その結果、前記パニアが内部収納空間を画定する、第１の構成と、前記外側壁部が前記内側壁部に隣接する位置に固定され、その結果、前記前壁、前記後壁、および前記床が、折り畳まれ、前記内側壁部および前記外側壁部によって包み込まれる、第２の構成との間を移行可能であり、
前記１つ以上のラッチの各々は、前記フレーム上に配置された第２のラッチ部と嵌合するように構成された、前記外側壁部上に配置された第１のラッチ部を備える、装輪車。
【請求項９】
パニアであって、
硬質材料の第１の広がりを備える第１の側壁と、
硬質材料の第２の広がりを備える第２の側壁と、
第１の端壁であって、前記第１の側壁から前記第２の側壁に伸び、前記第１の端壁が折り畳み可能であるように第１の可撓性シームを間に有する第１の複数の硬質板を備える、第１の端壁と、
前記第１の端壁から離隔している第２の端壁であって、前記第１の側壁から前記第２の側壁に伸び、前記第２の端壁が折り畳み可能であるように第２の可撓性シームを間に有する第２の複数の硬質板を備える、第２の端壁と、
前記第１および第２の側壁ならびに前記第１および第２の端壁のそれぞれの下部を接続する折り畳み式床と、
を備える、パニアであり、
前記パニアは、前記第１および第２の端壁が折り畳まれ、前記第１の側壁が前記第２の側壁に隣接する位置に固定される、折り畳み構成と、前記第１および第２の側壁が離隔しており、前記第１および第２の端壁が折り畳まれていない位置にある、第２の構成との間を移行可能である、パニア。
【請求項１０】
前記第１および第２のシームは、前記折り畳まれていない位置に向かって付勢され、その結果、前記パニアは、前記第１の側壁を前記第２の端壁に隣接する位置から解放することに応じて自動的に拡張するように構成される、請求項９に記載のパニア。
【請求項１１】
前記第１および第２の側壁は、前記折り畳み構成にある時に、前記第１および第２の端壁ならびに前記床を包み込む、いずれかの請求項９に記載のパニア。
【請求項１２】
前記第１および第２のシームは、前記折り畳み構成にある時に、前記端壁の各々が中割り折りを優先的に形成するように構成される、請求項９のいずれか一項に記載のパニア。
【発明の詳細な説明】
【技術分野】
【０００１】
本開示は、装輪車で荷物を運ぶためのシステムおよび方法に関する。より具体的には、開示された実施形態は、自転車、スクーター、モペット、オートバイ等で使用するためのパニアに関する。
【背景技術】
【０００２】
パニアは、荷運び用の動物または車両（例えば、自転車もしくはオートバイ）に通常対で設置される荷物用コンテナである。現代式の自転車パニアは、１９７０年代から使用されている。既知のパニアはしばしば使いにくいかまたは使い方が複雑であり、内容物が入っているかどうかにかかわらず、著しい風の抵抗を作り出す構成を有する。
【発明の概要】
【０００３】
本開示は、拡張可能パニアに関するシステム、装置、および方法を提供する。
【０００４】
いくつかの例では、装輪車は、フレームと、フレームに結合されたパニアであって、前端、後端、内縁、および外縁を有する細長い折り畳み式床と、床の前端に結合された折り畳み式前壁と、床の後端に結合された折り畳み式後壁と、フレームに固定され、床の内縁に結合された硬質内側壁部と、床の外縁に結合された硬質外側壁部とを備えるパニアとを含んでよく、パニアは、外側壁部が内側壁部から離隔しており、その結果、パニアが内部収納空間を画定する、第１の構成と、外側壁部が内側壁部に隣接する位置に固定され、その結果、前壁、後壁、および床が、折り畳まれ、内側壁部および外側壁部によって包み込まれる、第２の構成との間を移行可能である。
【０００５】
いくつかの例では、パニアは、硬質材料の第１の広がりを備える第１の側壁と、硬質材料の第２の広がりを備える第２の側壁と、第１の端壁であって、第１の側壁から第２の側壁に伸び、第１の端壁が折り畳み可能であるように第１の可撓性シームを間に有する第１の複数の硬質板を備える、第１の端壁と、第１の端壁から離隔している第２の端壁であって、第１の側壁から第２の側壁に伸び、第２の端壁が折り畳み可能であるように第２の可撓性シームを間に有する第２の複数の硬質板を備える、第２の端壁と、第１および第２の側壁ならびに第１および第２の端壁のそれぞれの下部を接続する折り畳み式床と含んでよく、パニアは、第１および第２の端壁が折り畳まれ、第１の側壁が第２の側壁に隣接する位置にラッチを掛けられる、折り畳み構成と、第１および第２の側壁が離隔しており、第１および第２の端壁が折り畳まれていない位置にある、第２の構成との間を移行可能である。
【０００６】
いくつかの例では、自転車で荷物を運ぶための方法は、パニアの硬質外壁をパニアの硬質内壁に隣接する位置に促すことによって、自転車のフレームに対して横方向にパニアを折り畳み、その結果、パニアの前壁、後壁、および床は、硬質外壁と硬質内壁との間で折りたたまれかつ圧縮されることと、前壁および後壁の圧縮の結果として、付勢力を外側方向に外壁に加えることと、１つ以上のラッチを使用して、パニアの外壁をパニアの内壁に隣接する位置に固定し、その結果、付勢力が抑えられることと、パニアの外壁のラッチを外し、前壁および後壁の圧縮を解放することによって、外壁が内壁から離隔している構成にパニアを自動的に開かせることと、を含んでよい。
【０００７】
特徴、機能、および利点は、本開示の様々な実施形態において独立して達成され得るか、またはさらに他の実施形態と組み合わされ得、そのさらなる詳細は、以下の説明および図面を参照して理解され得る。
【図面の簡単な説明】
【０００８】
【図１】本開示の態様に従う拡張可能パニアを有する例示的電動自転車の等角図である。
【図２】図１の自転車の側面図である。
【図３】本教示による拡張構成の例示的拡張可能パニアの後部斜視図である。
【図４】内部を示す、図３のパニアの後部斜視図である。
【図５】図３のパニアの上面図である。
【図６】図３のパニアの前部斜視図である。
【図７】本明細書に記載されるような例示的パニアの選択された構成要素の分解等角図である。
【図８】折り畳みトポロジーを示す、本開示の態様に従う例示的パニアの端部の概略図である。
【図９】装輪車で荷物を運ぶための例示的方法のステップを示すフローチャートである。
【発明を実施するための形態】
【０００９】
拡張可能パニア、および関連するシステム、方法の様々な態様および例が、以下に記載され、関連図面に示される。特に指定がない限り、本教示に従う拡張可能パニア、および／またはその様々な構成要素は、本明細書に記載され、説明され、および／または組み込まれた構造、構成要素、機能性、および／または変形形態の少なくとも１つを含み得る。さらに、具体的に除外されない限り、本教示に関連して本明細書に記載され、説明され、および／または組み込まれたプロセスステップ、構造、構成要素、機能性、および／または変形形態は、他の類似の装置および方法に含まれ得、開示された実施形態間で交換可能であることを含む。以下の様々な例の説明は、本質的に単に例示的なものであり、開示、その用途、または使用を限定することを意図するものではない。加えて、以下に記載される例および実施形態によって提供される利点は本質的に例示的なものであり、すべての例および実施形態が、同じ利点または同程度の利点を提供するわけではない。
【００１０】
この発明を実施するための形態には、以下の節：（１）定義、（２）概要、（３）例、構成要素、および代替物、（４）利点、特徴、および利益、ならびに（５）結論が含まれ、すぐ下に続く。例、構成要素、および代替物の節は、小節ＡおよびＢにさらに分割され、各々それに従って表示されている。
【００１１】
定義
特に指示がない限り、以下の定義が本明細書に適用される。
【００１２】
「実質的に」は、用語によって修飾された特定の寸法、範囲、形状、概念、または他の態様におおむね一致することを意味し、その結果、特徴または構成要素は、正確に一致する必要はない。例えば、「実質的に円筒形の」物体は、物体が円筒に似ているが、真の円筒から１つ以上のずれを有してよいことを意味する。
【００１３】
「備える」、「含む」、および「有する」（およびそれらの活用形）は、含むが必ずしも限定するわけではないことを意味するのに交換可能に使用され、追加の、列挙されていない要素または方法ステップの除外を意図しない制限なしの用語である。
【００１４】
「第１」、「第２」、および「第３」などの用語は、群等の様々な構成員を区別または識別するのに使用され、連続性または数値の限定を示すことを意図しない。
【００１５】
「ＡＫＡ」は、「別名」を意味し、所与の単数または複数の要素について代替用語または対応する用語を指示するのに使用されてよい。
【００１６】
「内側」、「外側」、「前方」、「後方」等の用語は、本明細書に記載されたシステムが設置されてよいか、またはその他の方法で取り付けられてよいホスト車両との関連で理解されることを意図する。例えば、「外側」は、車両の中心線から横方向により遠い相対位置、または車両中心線から離れる方向を指示してよい。反対に、「内側」は、中心線に向かう方向、または中心線により近い相対位置を指示してよい。同様に、「前方」は、車両の前部の方向を意味し、「後尾」は、車両の後部の方向を意味する。ホスト車両がない場合、同じ方向用語は、車両が存在するかのように使用されてよい。例えば、分離して見た場合でも、装置は、装置がホスト車両の前部の方向に面する問題の縁部を設けるという事実に基づいて、「前方」縁部を有してよい。
【００１７】
「結合される」は、直接的かまたは介在する構成要素を通して間接的かにかかわらず、永久にまたは解放可能に接続されることを意味する。
【００１８】
「反発性」は、通常の動作負荷下（例えば、圧縮時）で弾性変形し、負荷を除くと元の形状または位置に戻るように構成された材料または構造を表す。
【００１９】
「硬質」は、通常の動作条件下で、硬く、変形しない、または実質的に可撓性を欠くように構成された材料または構造を表す。
【００２０】
概要
概して、本教示に従う拡張可能パニアは、硬質側面パネルならびに折り畳み可能な床および壁を有する折り畳み式荷物用コンテナを含んでよい。いくつかの実施形態では、パニアは、車輪の一方に横方向に隣接して自転車のフレームに永久に取り付けられてよいか、またはその他の方法で組み込まれてよい。折り畳み可能な床および／または壁は、硬質側面パネルに開く力を自然に加えるように構成されてよく、その結果、外部側面パネルのラッチを外すとパニアが自己拡張式に勢いよく開くことになる。いくつかの例では、パニアは、電動自転車に設置されてよい。
【００２１】
例、構成要素、および代替物
以下の節では、例示的拡張可能パニア、ならびに関連するシステムおよび／または方法の選択された態様について記載する。これらの節の例は、説明用であり、本開示の範囲を限定するものとして解釈されるべきではない。各節は、１つ以上の別個の実施形態もしくは例、ならびに／または文脈もしくは関連情報、機能、および／もしくは構造を含み得る。
【００２２】
Ａ．例示的電動自転車およびパニア
図１〜８に示すように、この節では、拡張可能パニアを有する例示的電動自転車について記載するが、パニアは、任意の好適な装輪車に組み込まれてよいか、または設置されてよい。いくつかの例では、パニアは車両から着脱可能であってよく、したがって、携帯モードと設置モードとの間を移行可能である。以下に記載される拡張可能パニアは、上記の概要の節に記載された拡張可能パニアの実施形態である。
【００２３】
図１および２は、後輪１６の左右両側に配置された一対のパニア１２、１４を有する例示的電動自転車１０を示す。図３〜５は、パニア１４を様々な視点から様々な構成で示す自転車１０の部分拡大図である。図７は、パニアの一方の折り畳み可能な部分の選択された構成要素を示す分解図である。図８は、端部の一方が、以下に記載される機能性を達成するために選択された方式で優先的に折り畳まれるように構成され得る方法を示す概略図である。
【００２４】
図１および２を参照すると、パニア１２および１４は、電動自転車１０の後輪１６に隣接するフレーム１８に結合される。自転車１０は、二輪車、三輪車、四輪車等の任意の好適な装輪車を含んでよく、電動式であってもなくてもよい。いくつかの例では、パニア１２および１４は、その中で運ばれると予想される荷物の体積に対して十分な支持を提供するために動力車を必要とするような、十分に大きい容量を有してよい。
【００２５】
図１および２に示す例では、自転車１０は、フロントフォーク２２によってフレームに回転可能に結合された前輪２０を有する二輪車である。フォーク２２は、ハンドルバー２４によって操舵可能である。この例では、パニア１２および１４は、フレーム１８に各々取り付けられ、支持台２６、２８によって支持される。各台２６、２８は、パニアの床の下にフレームから横方向に伸びる。台２６および２８は、存在する場合、車両の乗客のための足載せ台または足支持物を備えてよい。いくつかの例では、パニアの一方または両方は、フレームに選択可能にまたは着脱可能に固定可能であってよい。２つのパニアは、実質的に互いの鏡像である。
【００２６】
自転車１０は、スタンド３０、および車両の駆動系に手動の動力を提供するように構成されたクランクセット３２をさらに含む。この例では、クランクセット３２は、単数または複数の電気駆動モータと連動して補助的または断続的に動作可能である。
【００２７】
図３〜６を見て、かつ図７に示す構成要素を参照すると、パニア１４は、前端４２、後端４４、内縁４６、および外縁４８を有する細長い折り畳み式床４０を含む。折り畳み式前壁５０（別名、第１の端壁）は、床４０の前端に結合され、折り畳み式後壁５２（別名、第２の端壁）は、床４０の後端に結合される。硬質内側壁部５４は、フレーム１８に固着（例えば、ボルト締めまたはねじ留め）されるか、またはフレーム１８に組み込まれ、床４０の内縁４６に結合される。硬質外側壁部５６は、床４０の外縁４８に結合される。パニア１２は、実質的に類似しているが鏡像構成の構成要素（例えば、硬質外側壁部５７）を含む。
【００２８】
したがって、パニアは、第１の構成６０（別名、展開または拡張構成）と第２の構成６２（別名、折り畳みまたは固定構成）との間を移行可能である。第１の構成６０では、外側壁部５６は、内側壁部５４から離隔しており、その結果、内部収納空間６４を画定する。第２の構成６２では、外側壁部５６は、内側壁部５４に隣接する位置に固定され、その結果、前壁５０、後壁５２、および床４０は、折り畳まれ、内側壁部および外側壁部によって包み込まれる。第１の構成６０は、大きい収納容積を支持しながら、パニアへのアクセスの容易さを提供する。第２の構成６２は、パニアが使用中でない時に、車両のより空気力学的な外形、およびより密着しかつ魅力的な外観を提供する。
【００２９】
前壁５０、後壁５２、および床４０は、パニアが第１の構成にある時には実質的に平面状であるように各々構成され、内側壁部と外側壁部との間の隙間に広がる。壁および床は、第１の構成６０にある時に、内部収納空間６４のための折り畳み式下部エンクロージャを提供するように構成された任意の好適な構成要素を含んでよい。いくつかの例では、壁および床は、第２の構成６２で横方向に折り畳まれた時、外方への付勢力を提供するようにさらに構成される。したがって、これらの例では、パニアは、外側壁部を内側壁部に隣接するその位置から解放することに応じて、折り畳まれた第２の構成６２から展開された第１の構成６０に自動的に移行するように構成される。
【００３０】
図３〜８に示す実施形態では、前壁および後壁および床は、パネル張りの構築物である。端壁および床は、硬質板と、これらの板の間の可撓性シームとの組み合わせを各々備え、その結果、第１の構成６０にある時に、硬質板によってパニアに構造的支持が提供される。さらに、端壁および床は、可撓性シームで折り畳み可能であり、その結果、端壁および床は、予測可能な方法で折り畳まれるように構成される。
【００３１】
具体的には、図７〜８を特に参照すると、前壁５０、後壁５２、および床４０は、複数の硬質板７６、７８、８０に結合されたそれぞれの可撓性布地７０、７２、７４を各々備え、その結果、可撓性シーム８２、８４、８６が、可撓性布地が硬質板間の隙間８８、９０、９２に配置されることによって形成される。いくつかの例では、可撓性布地は、硬質板を取り囲む（すなわち、挟む）内外布地層を備える。硬質板としては、プラスチック、丈夫なボール紙、または金属などの任意の好適な、平坦な硬質材料が挙げられ得る。可撓性布地としては、高耐久性ナイロンなどの、予想される荷重および繰り返される折り畳みに耐えるように構成された任意の好適な材料が挙げられ得る。いくつかの例では、板は、布地層間に接着され、挟まれる。これらの例では、板の間の布地層は、互いに接着して可撓性二重層を形成する。同じ構築が、端部および底部パネルに使用されてよい。いくつかの例では、端壁は、パネル張りの部分に印刷されるか、またはその他の方法で組み込まれる反射材料を含む。
【００３２】
前壁５０に関して、硬質板７６は、一対の直角台形板９８Ａおよび１００Ａの下に垂直に離隔している一対の三角板９４Ａおよび９６Ａを備え、２対の板の各々は、可撓性シーム８２の垂直シームを挟んで鏡像である。同様に、後壁５２に関して、硬質板７８は、一対の直角台形板９８Ｂおよび１００Ｂの下に垂直に離隔している一対の三角板９４Ｂおよび９６Ｂを備え、２対の板の各々は、可撓性シーム８４の垂直シームを挟んで鏡像である。したがって、図８に示すように、これらの壁の各々は、パニアが第２の構成にある時には中割り折り１０２を優先的に形成するように構成される。この折り畳みパターンは、そこから両側に略斜め下に向かって離れる一対の斜めシームを有する中心垂直シームによって規定され得、有名な「ピース」マークの中央部分に似ている。他の例では、折り畳みパターンは、硬質板の選択された形状に基づいて異なっていてもよい。いくつかの例では、折り畳みパターンは、対応する折り紙折りに基づいていてもよい。いくつかの例では、三角板は、台形板の上に配置されてもよく、その結果、中割り折りは、壁の下端ではなく上端にある。
【００３３】
同様に、床４０に関して、硬質板８０は、一対の硬質板１０４、１０６を備え、各々は、床４０の長さに沿って伸び、中心の隙間９２を画定する。内側硬質板１０４は、フレーム１８および／または内壁５４の形状に対応するための曲線内縁を有してよい。第２の構成６２に折り畳まれると、床４０はシーム８６で上方に優先的に折り畳まれるように構成される。
【００３４】
前壁および後壁、およびいくつかの例では床は、（単数または複数の）布地層が硬質板に強固に接着され、隙間を越えて伸ばされるかまたはその他の方法できつく配置されるようにさらに構成され、その結果、可撓性シームは、折り畳まれていない位置に向かって付勢される。前述の別の方法では、前壁および後壁は、その形状が実質的に平面構成である形状記憶を有するように構成される。板および（単数または複数の）布地層の大部分とともに、これは、ラッチを外すと自然にパニアを折り畳み構成から展開構成に移行させる。いくつかの例では、この移行は部分的であり、その結果、展開構成への移行の手動による完了が必要である。
【００３５】
いくつかの例では、反発性または柔軟な詰め物が、収納された内容物の損傷を防ぐために壁および床の内面に含まれてよい。これは、布地／板層トポロジーにおける別の層として提供されてもよいか、または別個の層もしくはライナであってもよい。図面に示す例では、硬質外側壁部５６および５７は、パニアの外部から見ると凸形状を有する。したがって、折り畳み構成にある時でも、これらのパニアは、内部収納容積のいくらかの使用可能量を依然として含むことになる。
【００３６】
パニア１４は、外側壁部５６を内側壁部５４に隣接して固定するように構成された１つ以上のラッチをさらに含む。これらのラッチは、パニアが第２の構成６２にある時に、手動で解放可能なように構成された任意の好適な形態を取ってよい。この例では、ラッチは、前方ラッチ１１０および後尾ラッチ１１２を含む。ラッチの各々は、外側壁部上に配置された第１のラッチ部１１４Ａ、１１４Ｂを含み、フレーム１８上に配置された第２のラッチ部１１６Ａ、１１６Ｂと嵌合するように構成される。いくつかの例では、第２のラッチ部１１６Ａ、１１６Ｂは、内壁部５４上に配置される。この例では、ラッチの各々は、雄部および雌部を有するＦｉｄｌｏｃｋ（登録商標）ブランドの磁気ラッチである。ラッチは、雄部を雌部に手動で挿入することによって固定可能であり、手動解放タブを使用してラッチ部材を引っ込めることによって解放可能である。図４〜６に示すように、ラッチ１１０および１１２は、共通手動プルタブ１１８に操作可能に接続され、パニアが第２の構成にある時に外部からアクセス可能である。単数または複数の任意の好適なプルタブが利用されてよい。この例では、プルタブ１１８は、逆Ｙ字型プルコード１２０によってラッチ部１１６Ａおよび１１６Ｂの各々に接続されている。したがって、手動プルタブ１１８は、ラッチの各々に対して遠隔に配置される。
【００３７】
パニア１１４は、袋または鞄を形成し、内壁部および外壁部に結合され、パニアの内部収納空間６４（別名、収納容積）への選択的なアクセスを可能とするように構成された、閉鎖可能な上部１２４を有する。ここでは、上部１２４は、ソフトトップ（例えば、可撓性布地を含む）であり、各側壁部の長さに沿った一対の側面配置ジッパー１２６を使用して閉鎖可能である。いくつかの例では、単一のジッパー、またはスナップ、タイ、面ファスナー等の異なる締結機構が使用されてもよい。
【００３８】
いくつかの例では、ジッパー１２６は、図３の例に示すように、ジッパーの同時操作のために共通のアクチュエータまたはハンドルに結合されてよい。いくつかの例では、ハンドルは、布地、ひも、コード、または他の可撓性もしくは柔軟な材料を含んでよい。いくつかの例では、ハンドルは、硬質であってよく、例えば、金属または硬質プラスチックを含む。具体的には、図面に示す例では、ジッパー１２６は、ハスプとも呼ばれるハンドル１２７に結合される。ハンドル１２７は、硬質材料（例えば、鋼、硬質プラスチック等）を含み、その正中に折り畳み可能なヒンジ１２８を有し、その結果、ハンドルは、後壁５２とともに折り畳まれかつ広がるように構成される。ハンドル１２７は、その中に形成され、後壁５２のポスト１３２を受け取るように構成されたグロメット１３０を備えてよい。ポスト１３２は、ロックまたはピンを受け入れるための開口をその中に有してよく、その結果、ハンドル１２７は、パニアの後壁の対応する部分にロック可能なように構成されたハスプを備える。
【００３９】
以下の一連の段落では、例示的拡張可能パニアの追加の態様および特徴について記載する。これらの段落のいくつかまたはすべては、明確さおよび効率のために英数字で指定されてよい。これらの段落の各々は、１つ以上の他の段落、および／または本出願の他の部分からの開示と、任意の好適な方法で組み合わされ得る。以下の段落のいくつかは、他の段落を明示的に指し、さらに限定し、好適な組み合わせのいくつかの例を限定することなく提供する。
【００４０】
Ａ０．
フレームと、フレームに結合されたパニアであって、前端、後端、内縁、および外縁を有する細長い折り畳み式床と、床の前端に結合された折り畳み式前壁と、床の後端に結合された折り畳み式後壁と、フレームに固着され、床の内縁に結合された硬質内側壁部と、床の外縁に結合された硬質外側壁部とを備えるパニアとを備える装輪車であって、パニアは、外側壁部が内側壁部から離隔しており、その結果、パニアが内部収納空間を画定する、第１の構成と、外側壁部が内側壁部に隣接する位置に固定され、その結果、前壁、後壁、および床が、折り畳まれ、内側壁部および外側壁部によって包み込まれる、第２の構成との間を移行可能である、装輪車。
【００４１】
Ａ１．
パニアは、外側壁部を内側壁部に隣接する位置から解放することに応じて、第２の構成から第１の構成に自動的に移行するように構成される、段落Ａ０に記載の装輪車。
【００４２】
Ａ２．
パニアの床の下にフレームから横方向に伸びる支持台をさらに備える、段落Ａ０〜Ａ１のいずれか１つに記載の装輪車
【００４３】
Ａ３．
パニアは、フレームに回転可能に結合された車輪に横方向に隣接して配置される、段落Ａ０〜Ａ２のいずれか１つに記載の装輪車。
【００４４】
Ａ４．
前壁、後壁、および床は、パニアが第１の構成にある時には各々実質的に平面状である、段落Ａ０〜Ａ３のいずれか１つに記載の装輪車。
【００４５】
Ａ５．
折り畳み式前壁は、可撓性シームによって離隔された複数の硬質板を備え、その結果、前壁は、可撓性シームで折り畳み可能である、段落Ａ０〜Ａ４のいずれか１つに記載の装輪車。
【００４６】
Ａ６．
前壁は、複数の硬質板に結合された共通の可撓性布地を備え、その結果、可撓性シームが、可撓性布地が硬質板間の隙間に配置されることによって形成される、段落Ａ５に記載の装輪車。
【００４７】
Ａ７．
硬質板は、一対の直角台形板から垂直に離隔している一対の三角板を備え、２対の板の各々は、垂直可撓性シームを挟んで鏡像である、段落Ａ５に記載の装輪車。
【００４８】
Ａ８．
前壁は、パニアが第２の構成にある時には中割り折りを形成する、段落Ａ５に記載の装輪車。
【００４９】
Ａ９．
外側壁部を内側壁部に隣接して固定するように構成された１つ以上のラッチをさらに備える、段落Ａ０〜Ａ８のいずれか１つに記載の装輪車。
【００５０】
Ａ１０．
１つ以上のラッチの各々は、フレーム上に配置された第２のラッチ部と嵌合するように構成された、外側壁部上に配置された第１のラッチ部を備える、段落Ａ９に記載の装輪車。
【００５１】
Ａ１１．
１つ以上のラッチは、同じ手動プルタブに操作可能に接続され、パニアが第２の構成にある時に外部からアクセス可能である、段落Ａ９に記載の装輪車。
【００５２】
Ａ１２．
手動プルタブは、ラッチの各々に対して遠隔に配置される、段落Ａ１１に記載の装輪車。
【００５３】
Ａ１３．
パニアは、パニアの内部収納空間への選択的なアクセスを可能とするように構成されたジッパー付き上部をさらに備える、段落Ａ０〜Ａ１２のいずれか１つに記載の装輪車。
【００５４】
Ａ１４．
ジッパー付き上部は、ジッパーに結合されたハスプを備え、ハスプは、パニアの後壁の対応する部分にロック可能なように構成される、段落Ａ１３に記載の装輪車。
【００５５】
Ａ１５．
装輪車が自転車である、段落Ａ０〜Ａ１４のいずれか１つに記載の装輪車。
【００５６】
Ａ１６．
装輪車が電動自転車である、段落Ａ１５に記載の装輪車。
【００５７】
Ｂ０．
硬質材料の第１の広がりを備える第１の側壁と、
硬質材料の第２の広がりを備える第２の側壁と、
第１の前後壁であって、第１の側壁から第２の側壁に伸び、第１の前後壁が折り畳み可能であるように第１の可撓性シームを間に有する第１の複数の硬質板を備える、第１の前後壁と、
第１の前後壁から離隔している第２の前後壁であって、第１の側壁から第２の側壁に伸び、第２の前後壁が折り畳み可能であるように第２の可撓性シームを間に有する第２の複数の硬質板を備える、第２の前後壁と、
第１および第２の側壁ならびに第１および第２の前後壁のそれぞれの下部を接続する折り畳み式床と
を備えるパニアであって、
パニアは、第１および第２の前後壁が折り畳まれ、第１の側壁が第２の側壁に隣接する位置にラッチを掛けられる、折り畳み構成と、第１および第２の側壁が離隔しており、第１および第２の前後壁が折り畳まれていない位置にある、第２の構成との間を移行可能である、
パニア。
【００５８】
Ｂ１．
第１および第２のシームは、折り畳まれていない位置に向かって付勢され、その結果、パニアは、第１の側壁のラッチを外すと自動的に拡張するように構成される、段落Ｂ０に記載のパニア。
【００５９】
Ｂ２．
前後壁の上縁に広がり、パニアの内部収納容積への選択的なアクセスを提供するように構成された上部エンクロージャをさらに備える、段落Ｂ０またはＢ１に記載のパニア。
【００６０】
Ｂ３．
上部エンクロージャが、ロック可能なジッパーをさらに備える、段落Ｂ２に記載のパニア。
【００６１】
Ｂ４．
第１および第２の側壁は、折り畳み構成にある時に、第１および第２の前後壁ならびに床を包み込む、段落Ｂ０〜Ｂ３のいずれか１つに記載のパニア。
【００６２】
Ｂ５．
第１および第２のシームは、折り畳み構成にある時に、前後壁の各々が中割り折りを優先的に形成するように構成される、段落Ｂ０〜Ｂ４のいずれか１つに記載のパニア。
【００６３】
Ｂ．例示的方法
この節では、装輪車（例えば、電動自転車）で荷物を運ぶための例示的方法２００のステップについて記載する（図９参照）。上記の自転車１０ならびにパニア１２および１４の態様が、以下に記載される方法ステップに利用されてよい。適切な場合には、各ステップを実行するのに使用されてよい構成要素およびシステムを参照することができる。これらの参照は説明用であり、方法の特定のステップを実行する可能な方法を限定することを意図しない。
【００６４】
図９は、例示的方法で実施されるステップを示すフローチャートであり、方法の完全なプロセスまたはすべてのステップを列挙していない場合がある。方法２００の様々なステップが以下に記載され、図９に示されるが、ステップは、必ずしもすべてが実施される必要はなく、場合によっては、同時に、または示された順序とは異なる順序で実施されてもよい。
【００６５】
方法９００のステップ９０２は、パニアの硬質外壁をパニアの硬質内壁に隣接する位置に促すことによって、自転車のフレームに対して横方向にパニアを折り畳むことを含み、その結果、パニアの前壁、後壁、および床は、硬質外壁と硬質内壁との間で折りたたまれかつ圧縮される。いくつかの例では、前壁および後壁は、可撓性シームによって分離された複数の硬質板を各々含み、その結果、パニアの硬質外壁をパニアの硬質内壁に隣接する位置に促すことは、前壁および後壁のそれぞれの可撓性シームに沿った折り畳みを引き起こす。壁の各々のこの折り畳みは、中割り折りを備えてよく（図８参照）、壁の側部が互いに向かって折り畳まれると、壁の底部中心は上方に折り畳まれる。この折り畳みでは、壁の中心線シームは、内側に向かって（すなわち、内部収納空間中に）移動する。いくつかの例では、各パニアの床は、自転車のフレームから横方向に伸びる略平面状の台によって支持される。
【００６６】
方法９００のステップ９０４は、前壁および後壁の圧縮の結果として、付勢力が、外側方向に外壁に加えられることを含む。
【００６７】
方法９００のステップ９０６は、１つ以上のラッチを使用して、パニアの外壁をパニアの内壁に隣接する位置に固定することを含み、その結果、付勢力は抑えられる。いくつかの例では、ラッチは、パニア上にすべて配置される。いくつかの例では、ラッチの一部分はパニアの外壁上にあり、一方、ラッチの他の部分は自転車のフレーム上に配置される。
【００６８】
方法９００のステップ９０８は、パニアの外壁のラッチを外し、前壁および後壁の圧縮を解放することによって、外壁が内壁から離隔している構成にパニアを自動的に開かせることを含む。いくつかの例では、パニアの外壁のラッチを外すことは、共通アクチュエータタブを引いて１つ以上のラッチを操作することを含む。
【００６９】
いくつかの例では、方法９００は、パニアのジッパー付き上部を開くことと連続していてよい。この開くステップは、パニアのジッパー付き上部をアンロックすることをさらに含んでよい。
【００７０】
利点、特徴、および利益
本明細書に記載された拡張可能パニアの異なる実施形態および例は、既知の解決法に対するいくつかの利点を提供する。例えば、本明細書に記載された例示的実施形態および例は、パニアが不使用時に車両のフレームに対して折り畳まれるのを可能とし、その結果、より空気力学的な外形が達成され、風の抵抗を減らす。
【００７１】
加えて、いくつかある利益の中でもとりわけ、本明細書に記載された例示的実施形態および例は、ロック可能な閉鎖を提供する。
【００７２】
加えて、いくつかある利益の中でもとりわけ、本明細書に記載された例示的実施形態および例は、閉鎖時でも、（例えば、ラップトップコンピューターまたは雨用ジャケットおよび手袋等に十分な）有用な収納容積を有するパニアを含む。これは、ユーザによって選択可能な可変収納容積を提供する。
【００７３】
加えて、いくつかある利益の中でもとりわけ、本明細書に記載された例示的実施形態および例は、折り畳み構成にある時に、装輪車の乗客用足載せ台を露出し、乗客が快適に足を置くことを可能とする。
【００７４】
加えて、いくつかある利益の中でもとりわけ、本明細書に記載された例示的実施形態および例は、外壁のラッチを外すと勢いよく開くように構成され、それにより、パニアを使用するために構成するのに必要な労力を減らす。
【００７５】
加えて、いくつかある利益の中でもとりわけ、本明細書に記載された例示的実施形態および例は、所定の折り紙折りに従って折り畳まれるように構成された壁および床を有し、それにより、動作の再現性および一貫性を改善する。
【００７６】
しかしながら、本明細書に記載されたすべての実施形態および例が、同じ利点または同程度の利点を提供するわけではない。
【００７７】
結論
上述の開示は、独立した有用性を有する複数の別個の例を包含してよい。これらの各々は、その（単数または複数の）好ましい形態で開示されているが、本明細書で開示および説明されたようなその特定の実施形態は、多くの変形形態が可能であるため、限定的な意味と見なされるべきではない。節の見出しが本開示内で使用される限り、そのような見出しは単に構成用である。開示の主題は、本明細書に開示された様々な要素、特徴、機能、および／または性質の、すべての新規および非自明の組み合わせおよび組合せの構成要素を含む。以下の特許請求の範囲は、新規および非自明と見なされる、ある組み合わせおよび組合せの構成要素を特に指摘する。特徴、機能、要素、および／または性質の他の組み合わせおよび組合せの構成要素は、本出願または関連出願からの優先権を主張する出願で特許請求されてよい。そのような特許請求の範囲も、元の特許請求の範囲より広いか、狭いか、等しいか、または異なるかにかかわらず、本開示の主題内に含まれると見なされる。
【図１】
2021529131.tif 000003
【図２】
2021529131.tif 000004
【図３】
2021529131.tif 000005
【図４】
2021529131.tif 000006
【図５】
2021529131.tif 000007
【図６】
2021529131.tif 000008
【図７】
2021529131.tif 000009
【図８】
2021529131.tif 000010
【図９】
2021529131.tif 000011
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
装輪車であって、
フレームと、
前記フレームに結合されたパニアであって、前記パニアは、
前端、後端、内縁、および外縁を有する細長い折り畳み式床と、
前記床の前端に結合された折り畳み式前壁と、
前記床の後端に結合された折り畳み式後壁と、
前記フレームに固定され、前記床の内縁に結合された硬質内側壁部と、
前記床の外縁に結合された硬質外側壁部と
を備える、パニアと
を備える、装輪車であり、
前記パニアは、前記外側壁部が前記内側壁部から離隔しており、その結果、前記パニアが内部収納空間を画定する、第１の構成と、前記外側壁部が前記内側壁部に隣接する位置に固定され、その結果、前記前壁、前記後壁、および前記床が、折り畳まれ、前記内側壁部および前記外側壁部によって包み込まれる、第２の構成との間を移行可能であり、
前記パニアは、前記外側壁部を前記内側壁部に隣接する位置から解放することに応じて、前記第２の構成から前記第１の構成に自動的に移行するように構成される、装輪車。
【請求項２】
前記前壁、前記後壁、および前記床は、前記パニアが前記第１の構成にある時には各々実質的に平面である、請求項１に記載の装輪車。
【請求項３】
装輪車であって、
フレームと、
前記フレームに結合されたパニアであって、前記パニアは、
前端、後端、内縁、および外縁を有する細長い折り畳み式床と、
前記床の前端に結合された折り畳み式前壁と、
前記床の後端に結合された折り畳み式後壁と、
前記フレームに固定され、前記床の内縁に結合された硬質内側壁部と、
前記床の外縁に結合された硬質外側壁部と、
を備える、パニアと、
を備える、装輪車であり、
前記パニアは、前記外側壁部が前記内側壁部から離隔しており、その結果、前記パニアが内部収納空間を画定する、第１の構成と、前記外側壁部が前記内側壁部に隣接する位置に固定され、その結果、前記前壁、前記後壁、および前記床が、折り畳まれ、前記内側壁部および前記外側壁部によって包み込まれる、第２の構成との間を移行可能であり、
前記折り畳み式前壁は、可撓性シームによって離隔された複数の硬質板を備え、その結果、前記前壁は、前記可撓性シームで折り畳み可能である、装輪車。
【請求項４】
前記硬質板は、一対の直角台形板から垂直に離隔している一対の三角板を備え、前記一対の三角板および前記一対の直角台形板の各々は、垂直可撓性シームを挟んで鏡像である、請求項３に記載の装輪車。
【請求項５】
前記前壁は、前記パニアが前記第２の構成にある時には中割り折りを形成する、請求項３に記載の装輪車。
【請求項６】
装輪車であって、
フレームと、
前記フレームに結合されたパニアであって、前記パニアは、
前端、後端、内縁、および外縁を有する細長い折り畳み式床と、
前記床の前端に結合された折り畳み式前壁と、
前記床の後端に結合された折り畳み式後壁と、
前記フレームに固定され、前記床の内縁に結合された硬質内側壁部と、
前記床の外縁に結合された硬質外側壁部と、
前記外側壁部を前記内側壁部に隣接して固定するように構成された１つ以上のラッチと、
を備える、パニアと、
を備える、装輪車であり、
前記パニアは、前記外側壁部が前記内側壁部から離隔しており、その結果、前記パニアが内部収納空間を画定する、第１の構成と、前記外側壁部が前記内側壁部に隣接する位置に固定され、その結果、前記前壁、前記後壁、および前記床が、折り畳まれ、前記内側壁部および前記外側壁部によって包み込まれる、第２の構成との間を移行可能であり、
前記１つ以上のラッチの各々は、前記フレーム上に配置された第２のラッチ部と嵌合するように構成された、前記外側壁部上に配置された第１のラッチ部を備える、装輪車。
【請求項７】
パニアであって、
硬質材料の第１の広がりを備える第１の側壁と、
硬質材料の第２の広がりを備える第２の側壁と、
第１の端壁であって、前記第１の端壁は、前記第１の側壁から前記第２の側壁に伸び、前記第１の端壁が折り畳み可能であるように第１の可撓性シームを間に有する第１の複数の硬質板を備える、第１の端壁と、
前記第１の端壁から離隔している第２の端壁であって、前記第２の端壁は、前記第１の側壁から前記第２の側壁に伸び、前記第２の端壁が折り畳み可能であるように第２の可撓性シームを間に有する第２の複数の硬質板を備える、第２の端壁と、
前記第１の側壁および前記第２の側壁ならびに前記第１の端壁および前記第２の端壁のそれぞれの下部を接続する折り畳み式床と、
を備える、パニアであり、
前記パニアは、前記第１の端壁および前記第２の端壁が折り畳まれ、前記第１の側壁が前記第２の側壁に隣接する位置に固定される、折り畳み構成と、前記第１の側壁および前記第２の側壁が離隔しており、前記第１の端壁および前記第２の端壁が折り畳まれていない位置にある、第２の構成との間を移行可能である、パニア。
【請求項８】
前記第１の可撓性シームおよび前記第２の可撓性シームは、前記折り畳まれていない位置に向かって付勢され、その結果、前記パニアは、前記第１の側壁を前記第２の端壁に隣接する位置から解放することに応じて自動的に拡張するように構成される、請求項７に記載のパニア。
【請求項９】
前記第１の側壁および前記第２の側壁は、前記折り畳み構成にある時に、前記第１の端壁および前記第２の端壁ならびに前記床を包み込む、請求項７に記載のパニア。
【請求項１０】
前記第１の可撓性シームおよび前記第２の可撓性シームは、前記折り畳み構成にある時に、前記第１の端壁および前記第２の端壁の各々が中割り折りを優先的に形成するように構成される、請求項７に記載のパニア。
【請求項１１】
装輪車であって、
フレームと、
前記フレームに結合されたパニアであって、前記パニアは、
細長い折り畳み式床と、
折り畳み式前壁と、
折り畳み式後壁と、
硬質内側壁部と、
硬質外側壁部と
を備える、パニアと、
を備える、装輪車であり、
前記パニアは、前記外側壁部が前記内側壁部から離隔しており、その結果、前記パニアが内部収納空間を画定する、第１の構成と、前記前壁、前記後壁、および前記床が、折り畳まれ、前記内側壁部および前記外側壁部によって包み込まれる、第２の構成との間を移行可能であり、
前記折り畳み式後壁は、可撓性シームによって離隔された複数の硬質板を備え、その結果、前記後壁は、前記可撓性シームで折り畳み可能である、装輪車。
【請求項１２】
前記硬質板は、一対の直角台形板から垂直に離隔している一対の三角板を備え、前記一対の三角板および前記一対の直角台形板の各々は、垂直可撓性シームを挟んで鏡像である、請求項１１に記載の装輪車。
【請求項１３】
前記後壁は、前記パニアが前記第２の構成にある時には中割り折りを形成する、請求項１１に記載の装輪車。
【請求項１４】
装輪車であって、
フレームと、
前記フレームに取り付け可能なパニアであって、前記パニアは、
細長い折り畳み式床と、
折り畳み式前壁と、
折り畳み式後壁と、
硬質内側壁部と、
硬質外側壁部と
前記外側壁部を前記内側壁部に隣接して固定するように構成されたラッチと、
を備える、パニアと、
を備える、装輪車であり、
前記パニアは、前記外側壁部が前記内側壁部から離隔しており、その結果、前記パニアが内部収納空間を画定する、第１の構成と、前記前壁、前記後壁、および前記床が、折り畳まれ、前記内側壁部および前記外側壁部によって包み込まれる、第２の構成との間を移行可能であり、
前記ラッチは、前記フレーム上に配置された第２のラッチ部と嵌合するように構成された、前記外側壁部上に配置された第１のラッチ部を備える、装輪車。
【請求項１５】
前記前壁および前記後壁は、折り畳まれる時には外方への付勢力を提供するように構成される、請求項１４に記載の装輪車。
【請求項１６】
前記外方への付勢力は、前記ラッチを解放することに応じて、前記パニアを前記第２の構成から前記第１の構成に自動的に移行させる、請求項１５に記載の装輪車。
【請求項１７】
前記折り畳み式床は、一対の硬質板に結合された可撓性布地を含み、その結果、可撓性シームが、前記床の可撓性布地が前記床の硬質板間の隙間に配置されることによって形成される、請求項１４に記載の装輪車。
【請求項１８】
前記折り畳み式前壁および前記折り畳み式後壁は、複数の硬質板に結合された可撓性布地を含み、その結果、可撓性シームが、それぞれの壁の可撓性布地が前記壁の硬質板間の隙間に配置されることによって形成される、請求項１７に記載の装輪車。
【請求項１９】
前記ラッチに対して遠隔に配置され、引かれる時に前記ラッチを解放するように構成された手動プルタブをさらに備える、請求項１４に記載の装輪車。
【請求項２０】
パニアであって、
第１の側壁と、
第２の側壁と、
第１の端壁であって、前記第１の端壁は、前記第１の側壁から前記第２の側壁に伸び、前記第１の端壁が折り畳み可能であるように第１の可撓性シームを間に有する第１の複数の硬質板を備える、第１の端壁と、
前記第１の端壁から離隔している第２の端壁であって、前記第２の端壁は、前記第１の側壁から前記第２の側壁に伸び、前記第２の端壁が折り畳み可能であるように第２の可撓性シームを間に有する第２の複数の硬質板を備える、第２の端壁と、
を備える、パニアであり、
前記パニアは、前記第１の端壁および前記第２の端壁が折り畳まれ、前記第１の側壁が前記第２の側壁に隣接する位置に固定される、折り畳み構成と、前記第１の側壁および前記第２の側壁が離隔しており、前記第１の端壁および前記第２の端壁が折り畳まれていない位置にある、第２の構成との間を移行可能である、パニア。
【請求項２１】
前記第１の可撓性シームおよび前記第２の可撓性シームは、前記折り畳まれていない位置に向かって付勢され、その結果、前記パニアは、１つ以上のラッチを解放することに応じて自動的に拡張するように構成される、請求項２０に記載のパニア。
【請求項２２】
前記第１の側壁および前記第２の側壁は、前記折り畳み構成にある時に、前記第１の端壁および前記第２の端壁を包み込む、請求項２０に記載のパニア。
【請求項２３】
前記第１の可撓性シームおよび前記第２の可撓性シームは、前記折り畳み構成にある時に、前記第１の端壁および前記第２の端壁の各々が中割り折りを優先的に形成するように構成される、請求項２０に記載のパニア。
【国際調査報告】
2021529131.tif 000012
2021529131.tif 000013